(57)【要約】      （修正有）【課題】ユーザーが容易にマイクのミュート時間を設定可能な電子機器を提供する。【解決手段】スピーカー装置１は、マイク３２と、マイクのミュートを受け付けるためのマイクミュートボタン３１と、メインマイクロコンピューター２と、ネットマイクロコンピューター７と、を備える。メインマイクロコンピューターは、マイクミュートボタンの押下時間に基づいて、マイクをミュートする時間を決定する。メインマイクロコンピューターは、マイクのミュートをネットマイクロコンピューターに指示し、決定した時間が経過した後、マイクのミュート解除をネットマイクロコンピューターに指示する。【選択図】図１
2020043460.tif 000002
【特許請求の範囲】
【請求項１】
マイクと、
前記マイクのミュートを受け付けるためのボタンと、
第１制御部と、を備え、
前記第１制御部は、前記ボタンの押下時間に基づいて、前記マイクをミュートする時間を決定することを特徴とする電子機器。
【請求項２】
前記第１制御部は、前記ボタンの押下時間が、所定時間以内である場合、前記マイクをミュートする時間を決定しないことを特徴とする請求項１に記載の電子機器。
【請求項３】
前記マイクをミュートする第２制御部をさらに備えることを特徴とする請求項１又は２に記載の電子機器。
【請求項４】
前記第１制御部は、前記第２制御部に、前記マイクのミュート、及び、前記マイクのミュート解除を指示することを特徴とする請求項３に記載の電子機器。
【請求項５】
前記第１制御部は、
前記ボタンの押下を受け付けた場合、前記第２制御部に、前記マイクのミュートを指示し、
前記第２制御部に、前記マイクのミュートを指示した後、決定した時間が経過した場合、前記第２制御部に、前記マイクのミュート解除を指示することを特徴とする請求項３に記載の電子機器。
【請求項６】
前記第１制御部は、
前記マイクの押下を受け付けた場合、前記第２制御部に、前記マイクのミュートを指示し、
前記マイクの押下時間が、所定時間以内であれば、前記第２制御部に、前記マイクのミュートを指示した後、前記マイクの押下を受け付けた場合、前記第２制御部に、前記マイクのミュート解除を指示することを特徴とする請求項３に記載の電子機器。
【請求項７】
マイクと、
前記マイクのミュートを受け付けるためのボタンと、
を備える電子機器の制御方法であって、
前記ボタンの押下時間に基づいて、前記マイクをミュートする時間を決定することを特徴とする電子機器の制御方法。
【発明の詳細な説明】
【技術分野】
【０００１】
本発明は、マイクを備える電子機器、及び、電子機器の制御方法に関する。
【背景技術】
【０００２】
音声による操作を受け付ける電子機器が登場している（例えば、特許文献１参照。）。このような電子機器は、音声を集音するためのマイクを備える。また、電子機器は、マイクのミュートを受け付けるためのマイクミュートボタンを備える。ユーザーは、マイクミュートボタンを押下して、マイクをミュート状態にすることができる。
【先行技術文献】
【特許文献】
【０００３】
【特許文献１】特開２００６−１９５４１１号公報
【発明の概要】
【発明が解決しようとする課題】
【０００４】
しかしながら、ユーザーは、マイクミュートボタンを押下して、マイクをミュート状態とした場合、一定時間経過し、マイクのミュートを解除したくなっても、マイクは、ミュート状態であるため、音声でマイクのミュートを解除することができない。このため、ユーザーは、わざわざ、マイクミュートボタンを押下する必要がある。
【０００５】
本発明の目的は、ユーザーが容易にマイクのミュート時間を設定可能とすることである。
【課題を解決するための手段】
【０００６】
第１の発明の電子機器は、マイクと、前記マイクのミュートを受け付けるためのボタンと、第１制御部と、を備え、前記第１制御部は、前記ボタンの押下時間に基づいて、前記マイクをミュートする時間を決定することを特徴とする。
【０００７】
本発明では、第１制御部は、ボタンの押下時間に基づいて、マイクをミュートする時間を決定する。このため、ユーザーは、ボタンの押下時間を調整することで、マイクのミュート時間を容易に設定することができる。これにより、ユーザーが、マイクミュートを解除するために、マイクミュートボタンを押下する手間を省くことができる。
【０００８】
第２の発明の電子機器は、第１の発明の電子機器において、前記第１制御部は、前記ボタンの押下時間が、所定時間以内である場合、前記マイクをミュートする時間を決定しないことを特徴とする。
【０００９】
第３の発明の電子機器は、第１又は第２の発明の電子機器において、前記マイクをミュートする第２制御部をさらに備えることを特徴とする。
【００１０】
第４の発明の電子機器は、第３の発明の電子機器において、前記第１制御部は、前記第２制御部に、前記マイクのミュート、及び、前記マイクのミュート解除を指示することを特徴とする。
【００１１】
第５の発明の電子機器は、第３の発明の電子機器において、前記第１制御部は、前記ボタンの押下を受け付けた場合、前記第２制御部に、前記マイクのミュートを指示し、前記第２制御部に、前記マイクのミュートを指示した後、決定した時間が経過した場合、前記第２制御部に、前記マイクのミュート解除を指示することを特徴とする。
【００１２】
第６の発明の電子機器は、第３の発明の電子機器において、前記第１制御部は、前記マイクの押下を受け付けた場合、前記第２制御部に、前記マイクのミュートを指示し、前記マイクの押下時間が、所定時間以内であれば、前記第２制御部に、前記マイクのミュートを指示した後、前記マイクの押下を受け付けた場合、前記第２制御部に、前記マイクのミュート解除を指示することを特徴とする。
【００１３】
第７の発明の電子機器の制御方法は、マイクと、前記マイクのミュートを受け付けるためのボタンと、を備える電子機器の制御方法であって、前記ボタンの押下時間に基づいて、前記マイクをミュートする時間を決定することを特徴とする。
【発明の効果】
【００１４】
本発明によれば、ユーザーは、マイクのミュート時間を容易に設定することができる。
【図面の簡単な説明】
【００１５】
【図１】本発明の実施形態に係るスピーカー装置の構成を示すブロック図である。
【図２】マイクをミュートする場合のスピーカー装置の処理動作を示すフローチャートである。
【図３】マイクのミュートを解除する場合のスピーカー装置の処理動作を示すフローチャートである。
【発明を実施するための形態】
【００１６】
以下、本発明の実施形態について説明する。図１は、本発明の実施形態に係るスピーカー装置の構成を示すブロック図である。スピーカー装置１は、メインマイクロコンピューター２と、操作部３と、Ｄ／Ａコンバーター（以下、「ＤＡＣ」という。）４と、増幅器５と、スピーカー６と、ネットマイクロコンピューター７と、を備える。
【００１７】
メインマイクロコンピューター２（第１制御部）は、スピーカー装置１を構成する各部を制御する。操作部３は、マイクミュートボタン３１と、マイク３２と、を有する。マイクミュートボタン３１は、マイク３２のミュートを受け付けるためのものである。マイク３２は、音声操作を受け付けるためのものである。マイク３２は、音声を集音する。ＤＡＣ４は、デジタル音声信号を、アナログ音声信号に、Ｄ／Ａ変換する。ＤＡＣ４によりＤ／Ａ変換されたアナログ音声信号は、増幅器５に出力される。増幅器５は、アナログ音声信号を増幅する。増幅器５により増幅されたアナログ音声信号は、スピーカー６に出力される。スピーカー６は、アナログ音声信号に基づいて、音声を出力する。
【００１８】
ネットマイクロコンピューター７（第２制御部）は、ネットワーク機能を実現するためのものである。ネットマイクロコンピューター７は、外部のサーバーからデジタル音声信号を受信する。また、ネットマイクロコンピューター７は、外部の端末とBluetooth（登録商標）規格により通信し、外部の端末からデジタル音声信号を受信する。また、ネットマイクロコンピューター７は、マイク３２により集音された音声を、外部のサーバーに送信する。サーバーは、スピーカー装置１から送信された音声に基づいて、音声認識を行う。サーバーは、音声認識の結果を、スピーカー装置１に送信する。例えば、ユーザーが、「音量を上げて」と発声したとすると、サーバーは、音量を上げるコマンドを、スピーカー装置１に送信する。ネットマイクロコンピューター７は、音量を上げるコマンドを受信する。メインマイクロコンピューター２は、ＤＡＣ４により、音量を上げる。なお、ここでは、ＤＡＣ４が音量調整機能を有しており、ＤＡＣ４が音量調整を行うが、例えば、ボリュームＩＣにより、音量調整が行われるようになっていてもよい。
【００１９】
メインマイクロコンピューター２は、マイクミュートボタン３１により、マイク３２のミュートを受け付ける。メインマイクロコンピューター２は、マイク３２のミュートを受け付けると、ネットマイクロコンピューター７に、マイクミュートオンのコマンドを送信する（マイク３２のミュートを指示する。）。ネットマイクロコンピューター７は、マイクミュートオンのコマンドを受信すると、マイク３２をミュートする。
【００２０】
また、メインマイクロコンピューター２は、マイク３２のミュート中、マイクミュートボタン３１により、マイク３２のミュート解除を受け付ける。メインマイクロコンピューター７は、マイク３２のミュート解除を受け付けると、ネットマイクロコンピューター７に、マイクミュートオフのコマンドを送信する（マイク３２のミュート解除を指示する。）。ネットマイクロコンピューター７は、マイクミュートオフのコマンドを受信すると、マイク３２のミュートを解除する。
【００２１】
メインマイクロコンピューター２は、マイクミュートボタン３１の押下時間に基づいて、マイク３２をミュートする時間を決定する。言い換えれば、メインマイクロコンピューター２は、マイクミュートボタン３１の押下時間に基づいて、マイク３２のミュートを解除するまでの時間を調整する。
【００２２】
メインマイクロコンピューター２は、マイクミュートボタン３１の押下時間が、所定時間（例えば、１秒）よりも長い場合、マイクミュートボタン３１の押下時間に基づいて、マイク３２をミュートする時間を決定する。言い換えれば、メインマイクロコンピューター２は、決定した時間後に、マイク３２のミュートを解除する。例えば、メインマイクロコンピューター２は、マイクミュートボタン３１の押下時間が、３秒の場合、マイク３２をミュートする時間を１時間に決定する。この場合、メインマイクロコンピューター２は、ネットマイクロコンピューター７に、マイクミュートオンのコマンドを送信してから、１時間後に、マイクミュートオフのコマンドを送信する。従って、マイク３２がミュートされてから、１時間後に、マイク３２のミュートが自動的に解除される。
【００２３】
また、例えば、メインマイクロコンピューター２は、マイクミュートボタン３１の押下時間が、５秒である場合、マイク３２をミュートする時間を１０時間に決定する。この場合、メインマイクロコンピューター２は、ネットマイクロコンピューター７に、マイクミュートオンのコマンドを送信してから、１０時間後に、マイクミュートオフのコマンドを送信する。従って、マイク３２がミュートされてから、１０時間後に、マイク３２のミュートが自動的に解除される。
【００２４】
メインマイクロコンピューター２は、マイクミュートボタン３１の押下時間が、所定時間（例えば、１秒）以内である場合、マイク３２をミュートする時間を決定しない。このため、メインマイクロコンピューター２は、ネットマイクロコンピューター７に、マイクミュートオンのコマンドを送信してから、マイクミュートオフのコマンドを送信しない。従って、マイク３２がミュートされてから、マイク３２のミュートが自動的に解除されない。
【００２５】
以下、マイク３２をミュートする場合のスピーカー装置１の処理動作を、図２に示すフローチャートに基づいて説明する。メインマイクロコンピューター２は、マイクミュートボタン３１が押下されたか否かを判断する（Ｓ１）。メインマイクロコンピューター２は、マイクミュートボタン３１が押下されていないと判断している間は（Ｓ１：Ｎｏ）、Ｓ１の処理を繰り返し実行する。メインマイクロコンピューター２は、マイクミュートボタン３１が押下されたと判断した場合（Ｓ１：Ｙｅｓ）、マイクミュートボタン３１の押下時間が、所定時間以内である（いわゆる短押し）か否かを判断する（Ｓ２）。メインマイクロコンピューター２は、マイクミュートボタン３１の押下時間が、所定時間内でない（いわゆる長押し）と判断した場合（Ｓ２：Ｎｏ）、マイクミュートボタン３１の押下時間に応じて、タイマー時間を決定し、決定したタイマー時間のタイマーを起動する（Ｓ３）。
【００２６】
メインマイクロコンピューター２は、マイクミュートボタン３１の押下時間が、所定時間内である（いわゆる短押し）と判断した場合（Ｓ２：Ｙｅｓ）、又は、Ｓ３の処理の後、ネットマイクロコンピューター７にマイクミュートオンコマンドを送信する（Ｓ４）。これにより、ネットマイクロコンピューター７は、マイク３２をミュートする。
【００２７】
次に、マイク３２のミュートを解除する場合のスピーカー装置１の処理動作を、図３に示すフローチャートに基づいて説明する。メインマイクロコンピューター２は、タイマーがタイムアウトしたか否かを判断する（Ｓ１１）。メインマイクロコンピューター２は、タイマーがタイムアウトしていないと判断している間は（Ｓ１１：Ｎｏ）、Ｓ１１の処理を繰り返し実行する。メインマイクロコンピューター２は、タイマーがタイムアウトしたと判断した場合（Ｓ１１：Ｙｅｓ）、ネットマイクロコンピューター７にマイクミュートオフコマンドを送信する（Ｓ１２）。これにより、ネットマイクロコンピューター７は、マイク３２のミュートを解除する。
【００２８】
以上説明したように、本実施形態では、メインマイクロコンピューター２は、マイクミュートボタン３１の押下時間に基づいて、マイク３２をミュートする時間を決定する。このため、ユーザーは、マイクミュートボタン３１の押下時間を調整することで、マイク３２のミュート時間を容易に設定することができる。これにより、ユーザーが、マイクミュートを解除するために、マイクミュートボタン３１を押下する手間を省くことができる。
【００２９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３０】
上述の実施形態においては、ネットマイクロコンピューター７は、マイク３２のミュート、及び、ミュートの解除を行うようになっている。これに限らず、メインマイクロコンピューター２等、他の回路が、マイク３２のミュート、及び、ミュートの解除を行うようになっていてもよい。
【産業上の利用可能性】
【００３１】
本発明は、マイクを備える電子機器、及び、電子機器の制御方法に好適に採用され得る。
【符号の説明】
【００３２】
１  スピーカー装置（電子機器）
２  メインマイクロコンピューター（第１制御部）
３  操作部
３１  マイクミュートボタン
３２  マイク
７  ネットマイクロコンピューター（第２制御部）
【図１】
2020043460.tif 000003
【図２】
2020043460.tif 000004
【図３】
2020043460.tif 000005